(57)【特許請求の範囲】
【請求項１】
吸引風を発生させる電動送風機を内蔵する電動送風機室と、
前記電動送風機室の上流側に配置されており、塵埃を捕集する集塵部を有する集塵室と、前記電動送風機室と前記集塵室との間に設けられており、前記電動送風機室と前記集塵室とを連通する開口部を有する分離壁と、
前記開口部に前記電動送風機の中心軸と同心に設けられた略円状の第１の格子部と、
前記第１の格子部の内側に設けられた格子状の第２の格子部と、
前記第１の格子部の外側に設けられた放射状の第３の格子部と、
を有し、
前記第１の格子部、前記第２の格子部、及び前記第３の格子部は、断面形状が集塵室側の先端が丸く電動送風機側の後端が先細りした流線形となるように形成した電気掃除機。
【請求項２】
前記第１の格子部及び前記第２の格子部は、前記電動送風機の吸気口の直径よりも内側に配置され、前記第３の格子部は、前記吸気口の直径よりも外側に配置され、
前記第１の格子部及び前記第２の格子部の前記電動送風機の中心軸方向の幅は、
前記第３の格子部の電動送風機の中心軸方向の幅よりも大きくなるように形成した請求項１に記載の電気掃除機。
【請求項３】
前記第２の格子部は等間隔に複数設けられている請求項１または２に記載の電気掃除機。
【請求項４】
前記第１の格子部の内径は、前記電動送風機の吸気口の大きさと略同一に形成されている請求項１〜３のうちの何れか１項に記載の電気掃除機。
【発明の詳細な説明】
【技術分野】
【０００１】
本発明は、電気掃除機に関する。
【背景技術】
【０００２】
従来、電気掃除機の分野においては、掃除機本体内に設けられた集塵室と、集塵室側に吸込口を有する電動送風機と、集塵室と電動送風機との間に設けられ、格子状に形成された複数の孔を有し、この複数の孔を取り囲み、前記電動送風機側に向かって延びるように環状の立壁部が形成された格子壁部材とを有する構成が提案されている（例えば、特許文献１参照）。
【０００３】
すなわち、図７に示すように、掃除機本体２００内には、電動送風機２１０の前側に格子壁２３０が設けられ、集塵室（図示せず）と電動送風機２１０との間が区画されている。
【０００４】
図７及び図８に示すように、格子壁２３０は、格子状に形成された複数の格子孔２３２を有しており、一つの格子孔２３２は、横方向に延びて形成された横格子部２３１と、横格子部２３１とほぼ直交する方向に延び、縦方向に形成された縦格子部２３３とによって囲まれている。
【先行技術文献】
【特許文献】
【０００５】
【特許文献１】特開２００６−５５３７０号公報
【発明の概要】
【発明が解決しようとする課題】
【０００６】
しかしながら、上記従来の電気掃除機においては、電気掃除機の吸込み力を向上させるという観点からは未だ改善の余地があった。
【０００７】
一般に、集塵室で塵埃が捕集されたあとの吸引風は、電動送風機の吸込口の外周から吸込口の中心部に向かって吸引される。
【０００８】
上記従来の電気掃除機においては、格子壁に設けられた複数の格子孔が横格子部及び縦格子部によって形成されているため、格子壁に設けられた複数の格子孔の形状が電動送風機によって吸引される吸引風の流れと異なる形状となっている。そのため、横格子部及び縦格子部で吸引風の流れに不均一な部分が発生し、乱流が生じることで、圧力損失が発生し、電動送風機の吸込み力が低下してしまう場合があった。
【０００９】
本発明は、上記従来技術の有する課題に鑑みてなされたものであり、電動送風機室と集塵室とを連通する開口部での乱流の発生を十分に防止でき、電動送風機室と集塵室との間で発生する圧力損失を十分に低減でき、電気掃除機の吸込み力を向上させることができる電気掃除機を提供することを目的とする。
【課題を解決するための手段】
【００１０】
上記従来技術の有する課題を解決するために、本発明は、吸引風を発生させる電動送風機を内蔵する電動送風機室と、前記電動送風機室の上流側に配置されており、塵埃を捕集する集塵部を有する集塵室と、前記電動送風機室と前記集塵室との間に設けられており、前記電動送風機室と前記集塵室とを連通する開口部を有する分離壁と、前記開口部に前記電動送風機の中心軸と同心に設けられた略円状の第１の格子部と、前記第１の格子部の内側に設けられた格子状の第２の格子部と、前記第１の格子部の外側に設けられた放射状の第３の格子部と、を有し、前記第１の格子部、前記第２の格子部、及び前記第３の格子部は、断面形状が集塵室側の先端が丸く電動送風機側の後端が先細りした流線形となるように形成した電気掃除機を提供する。
【００１２】
これにより、電動送風機室と集塵室との間に設けられた分離壁の開口部に、電動送風機の吸込口に吸込まれる吸引風の流れと同様の形状を有する流路を形成することができ、電動送風機室と集塵室とを連通する開口部での乱流の発生を十分に防止することができ、電動送風機室と集塵室との間で発生する圧力損失を十分に低減することができ、電気掃除機の吸込み力を向上させることができる。
またさらに、第１の格子部、第２の格子部、及び第３の格子部の断面形状を、集塵室側の先端が丸く電動送風機側の後端が先細りした流線形となるように形成したことで、電動送風機に吸引される吸気風が、第１の格子部、第２の格子部、及び第３の格子部の下流側で渦巻くことなく整流されるため、電動送風機室と集塵室との間で発生する圧力損失をさらに低減することができ、電気掃除機の吸込み力をさらに向上させることができる。
【発明の効果】
【００１３】
本発明の電気掃除機によれば、電動送風機室と集塵室とを連通する開口部での乱流の発生を十分に防止することができ、電動送風機室と集塵室との間で発生する圧力損失を十分に低減することができ、電気掃除機の吸込み力を向上させることができる。
【図面の簡単な説明】
【００１４】
【図１】本発明の電気掃除機の実施の形態１における全体図
【図２】本発明の電気掃除機の実施の形態１における掃除機本体の分解斜視図
【図３】（ａ）本発明の電気掃除機の実施の形態１における掃除機本体の側面図、（ｂ）図３（ａ）に示した掃除機本体のＡ−Ａ線での断面図
【図４】本発明の電気掃除機の実施の形態１における分離壁の斜視図
【図５】（ａ）図４に示した分離壁のＢ部分の拡大図、（ｂ）図５（ａ）に示した分離壁のＣ−Ｃ線での断面図、（ｃ）図５（ｂ）に示した分離壁のＤ部分及びＥ部分の拡大図
【図６】図３（ｂ）に示した掃除機本体のＫ部分の拡大図
【図７】従来の電気掃除機の電動送風機及び格子壁の断面図
【図８】従来の電気掃除機の格子壁の部分平面図
【発明を実施するための形態】
【００１５】
第１の発明は、吸引風を発生させる電動送風機を内蔵する電動送風機室と、前記電動送風機室の上流側に配置されており、塵埃を捕集する集塵部を有する集塵室と、前記電動送風機室と前記集塵室との間に設けられており、前記電動送風機室と前記集塵室とを連通する開口部を有する分離壁と、前記開口部に前記電動送風機の中心軸と同心に設けられた略円状の第１の格子部と、前記第１の格子部の内側に設けられた格子状の第２の格子部と、前記第１の格子部の外側に設けられた放射状の第３の格子部と、を有し、前記第１の格子部、前記第２の格子部、及び前記第３の格子部は、断面形状が集塵室側の先端が丸く電動送風機側の後端が先細りした流線形となるように形成した電気掃除機である。
【００１６】
これにより、電動送風機室と集塵室との間に設けられた分離壁の開口部に、電動送風機の吸込口に吸込まれる吸引風の流れと同様の形状を有する流路を形成することができ、電動送風機室と集塵室とを連通する開口部での乱流の発生を十分に防止することができ、電動送風機室と集塵室との間で発生する圧力損失を十分に低減することができ、電気掃除機の吸込み力を向上させることができる。
またさらに、第１の格子部、第２の格子部、及び第３の格子部の断面形状を、集塵室側の先端が丸く電動送風機側の後端が先細りした流線形となるように形成したことで、電動送風機に吸引される吸気風が、第１の格子部、第２の格子部、及び第３の格子部の下流側で渦巻くことなく整流されるため、電動送風機室と集塵室との間で発生する圧力損失をさらに低減することができ、電気掃除機の吸込み力をさらに向上させることができる。
【００１９】
第２の発明は、特に第１の発明において、前記第１の格子部及び前記第２の格子部は、前記電動送風機の吸気口の直径よりも内側に配置され、前記第３の格子部は、前記吸気口の直径よりも外側に配置され、前記第１の格子部及び前記第２の格子部の前記電動送風機の中心軸方向の幅は、前記第３の格子部の電動送風機の中心軸方向の幅よりも大きくなるように形成したものである。
【００２０】
これにより、吸引風が集中する電動送風機の吸気口近傍での吸引風の流れを効率よく整流することができ、電動送風機の吸気口近傍での乱流の発生を十分に防止することができ、電動送風機室と集塵室との間で発生する圧力損失を十分に低減することができ、電気掃除機の吸込み力を向上させることができる。
【００２１】
第３の発明は、特に第１または第２の発明において、第２の格子部は等間隔に複数設けられているものである。
【００２２】
これにより、吸引風を第２の格子部で効率よく整流することができ、第２の格子部の下流側での乱流の発生を十分に防止することができ、電動送風機室と集塵室との間で発生する圧力損失を十分に低減することができ、電気掃除機の吸込み力を向上させることができる。
【００２３】
第４の発明は、特に第１〜第３の発明において、第１の格子部の内径は、電動送風機の吸気口の大きさと略同一に形成されているものである。
【００２４】
これにより、吸引風が集中する電動送風機の吸気口近傍での吸引風の流れを効率よく整流することができ、電動送風機の吸気口近傍での乱流の発生を十分に防止することができ、電動送風機室と集塵室との間で発生する圧力損失を十分に低減することができ、電気掃除機の吸込み力を向上させることができる。
【００２９】
以下、図面を参照しながら本発明の電気掃除機の好適な実施形態について詳細に説明する。なお、以下の説明では、同一または相当部分には同一符号付し、重複する説明は省略する。
【００３０】
（実施の形態１）
本発明の電気掃除機の実施の形態１について、図１〜図６を用いて説明する。
【００３１】
図１は、本発明の電気掃除機の実施の形態１における全体図である。また、図２は、本発明の電気掃除機の実施の形態１における掃除機本体の分解斜視図である。さらに、図３（ａ）は、本発明の電気掃除機の実施の形態１における掃除機本体の側面図、図３（ｂ）は、図３（ａ）に示した掃除機本体のＡ−Ａ線での断面図である。また、図４は、本発明の電気掃除機の実施の形態１における分離壁の斜視図である。さらに、図５（ａ）は、図４に示した分離壁のＢ部分の拡大図、図５（ｂ）は、図５（ａ）に示した分離壁のＣ−Ｃ線での断面図、図５（ｃ）は、図５（ｂ）に示した分離壁のＤ部分及びＥ部分の拡大図である。また、図６は、図３（ｂ）に示した掃除機本体のＫ部分の拡大図である。
【００３２】
図１に示すように、電気掃除機１００は、主として、掃除機本体１と、被清掃面の塵埃を吸引する吸込具２と、一端が掃除機本体１の吸引口１ａに着脱自在に接続されるホース３と、一端がホース３の他端に接続され、他端が吸込具２に接続される延長管４とから構成されている。また、ホース３の延長管４側には、使用者が保持する保持部５を有する手元操作部６が設けられている。
【００３３】
図２及び図３に示すように、掃除機本体１は、主として、吸引風を発生させる電動送風機７を内蔵する電動送風機室８と、電動送風機室８の上流側に配置され、塵埃を捕集する集塵部９を有する集塵室１０と、電動送風機室８と集塵室１０との間に設けられ、電動送風機室８と集塵室１０とを連通する開口部１１を有する分離壁１２とから構成されている。また、集塵室１０の上方には、蓋体１３が設けられており、この蓋体１３は、掃除機本体１に回動自在に設けられている。集塵部９は、蓋体１３を開閉することにより、掃除機本体１から着脱できるよう構成されている。
【００３４】
図３（ａ）及び図３（ｂ）に示すように、電動送風機７の前方には、吸引風を整流する案内ガイド１４が設けられている。この案内ガイド１４は、電動送風機７の前部に設けられた前部防振体１５によって挟持されている。また、電動送風機７の後部には後部防振体１６が設けられており、電動送風機７は、前部防振体１５及び後部防振体１６によって挟まれた状態で電動送風機室８に保持されている。
【００３５】
図３（ａ）及び図３（ｂ）に示すように、集塵部９は、主として、塵埃を捕集する塵埃捕集部１７と、塵埃捕集部１７の下流側に配置されており、粗塵を捕集する粗塵フィルタ１８と、粗塵フィルタ１８の下流側に設けられており、粗塵フィルタ１８を通過した細塵を捕集する細塵フィルタ１９とから構成されている。また、粗塵フィルタ１８の中央部には、不通気の障害壁（図示せず）が設けられている。
【００３６】
図２、図３（ｂ）、及び図４に示すように、分離壁１２には、電動送風機室８と集塵室１０とを連通する開口部１１が設けられている。また、分離壁１２の前方には、分離壁１２の開口部１１を覆う防音材２０ａを有する枠体２０が、分離壁１２に着脱自在に配置されている。さらに、分離壁１２の開口部１１の上方には、電源コード２１の引出しに連動して動作する除塵部２２が配置されている。
【００３７】
図４及び図５（ａ）に示すように、分離壁１２の開口部１１には、電動送風機７の中心軸Ｐと同心に設けられた略円状の第１の格子部２３が設けられている。また、図６に示すように、第１の格子部２３の直径は、電動送風機７の吸気口７ａの直径Ｔの大きさと略同一に形成されている。また、第１の格子部２３の内側には、縦格子状の第２の格子部２４が等間隔に設けられている。さらに、第１の格子部２３の外側には、第１の格子部２３の外周から放射状に伸びる第３の格子部２５が等間隔に設けられている。また、第１の格子部２３の外側には、電動送風機７の中心軸Ｐと同心で、かつ、直径が第１の格子部２３よりも大きい略円状の第４の格子部２６が設けられており、第１の格子部２３と第４の格子
部２６とは、第３の格子部２５によって連結されている。さらに、第４の格子部２６の外側には、第４の格子部２６の外周から放射状に伸びる第５の格子部２７が等間隔に設けられている。また、第４の格子部２６の外側には、電動送風機７の中心軸Ｐと同心で、かつ、直径が第４の格子部２６よりも大きい略円状の第６の格子部２８が設けられており、第４の格子部２６と第６の格子部２８とは、第５の格子部２７によって連結されている。さらに、第６の格子部２８の外側には、第６の格子部２８の外周から放射状に伸びる第７の格子部２９が等間隔に設けられており、この第７の格子部２９によって、第６の格子部２８と分離壁１２とが連結されている。また、第１の格子部２３、第４の格子部２６、及び、第６の格子部２８は、等間隔に配置されている。
【００３８】
図５（ｂ）、図５（ｃ）、及び図６に示すように、第１の格子部２３、第２の格子部２４、第３の格子部２５、第４の格子部２６、第５の格子部２７、第６の格子部２８、及び第７の格子部２９の断面形状は、電動送風機７側が先細りした流線形となっている。また、第１の格子部２３、第２の格子部２４、第３の格子部２５、第４の格子部２６、第５の格子部２７、第６の格子部２８、及び第７の格子部２９のうち、電動送風機７の吸気口７ａの直径Ｔよりも内側に位置する第１の格子部２３及び第２の格子部２４の電動送風機７の中心軸Ｐ方向の幅は、電動送風機７の吸気口７ａの直径Ｔよりも外側に位置する第３の格子部２５、第４の格子部２６、第５の格子部２７、第６の格子部２８、及び第７の格子部２９の電動送風機７の中心軸Ｐ方向の幅よりも大きくなるように形成されている。
【００３９】
以上のように構成された電気掃除機について、以下、その動作、作用を説明する。
【００４０】
使用者が保持部５を保持し、電気掃除機１００の運転を開始すると、電動送風機７によって吸引風が発生し吸引力が発生する。この状態で、使用者が被清掃面上で吸込具２を動かすと、吸込具２から被清掃面上の塵埃が空気とともに吸引される。吸引された塵埃を含む吸引風３０は、延長管４及びホース３を介して掃除機本体１の吸引口１ａから掃除機本体１内へと流入する。
【００４１】
図３に示すように、掃除機本体１内へと流入した塵埃を含む吸引風３０は、粗塵フィルタ１８の中央部に設けられた不通気の障害壁（図示せず）にぶつかり、左右に分離する旋回流３１となり、粗塵は塵埃捕集部１７の粗塵捕集部３２に捕集される。粗塵が除去された吸引風は、粗塵フィルタ１８の下流側に設けられた細塵フィルタ１９にて細塵が除去され、細塵が除去された空気３３だけが分離壁１２の開口部１１に設けられた第１の格子部２３、第２の格子部２４、第３の格子部２５、第４の格子部２６、第５の格子部２７、第６の格子部２８、及び第７の格子部２９で整流され、案内ガイド１４に沿って電動送風機７に吸引される。
【００４２】
本実施の形態においては、第１の格子部２３、第２の格子部２４、第３の格子部２５、第４の格子部２６、第５の格子部２７、第６の格子部２８、及び第７の格子部２９によって、電動送風機室８と集塵室１０との間に設けられた分離壁１２の開口部１１に、分離壁１２の開口部１１を通過する空気３４の流れと同様の形状を有する格子状の流路及び放射状の流路が形成されているため、電動送風機室８と集塵室１０とを連通する開口部１１部分での乱流の発生を十分に防止することができるとともに、分離壁１２の開口部１１を通過する空気３４を効率よく整流することができるため、電動送風機室８と集塵室１０との間で発生する圧力損失を十分に低減することができ、電気掃除機１００の吸込み力を向上させることができる。
【００４３】
また、分離壁１２の開口部１１で整流され、電動送風機７へ吸い込まれる空気３５は、案内ガイド１４によって電動送風機７の吸気口７ａへと導かれるため、分離壁１２の開口部１１で整流された空気を効率よく吸引することができる。
【００４４】
さらに、本実施の形態においては、第１の格子部２３、第２の格子部２４、第３の格子部２５、第４の格子部２６、第５の格子部２７、第６の格子部２８、及び第７の格子部２９の断面形状が、電動送風機７側が先細りした流線形となるように形成されているため、第１の格子部２３、第２の格子部２４、第３の格子部２５、第４の格子部２６、第５の格子部２７、第６の格子部２８、及び第７の格子部２９を通過し、電動送風機７に吸引される吸気風３４が、第１の格子部２３、第２の格子部２４、第３の格子部２５、第４の格子部２６、第５の格子部２７、第６の格子部２８、及び第７の格子部２９の下流側で渦巻くことなく整流されるため、電動送風機室８と集塵室１０との間で発生する圧力損失を低減することができ、電気掃除機１００の吸込み力をさらに向上させることができる。
【００４５】
また、本実施の形態においては、電動送風機７の吸気口７ａの直径Ｔよりも内側に位置する第１の格子部２３及び第２の格子部２４の電動送風機７の中心軸Ｐ方向の幅は、電動送風機７の吸気口７ａの直径Ｔよりも外側に位置する第３の格子部２５、第４の格子部２６、第５の格子部２７、第６の格子部２８、及び第７の格子部２９の電動送風機７の中心軸Ｐ方向の幅よりも大きくなるように形成されているため、吸引風が集中する電動送風機７の吸気口７ａ近傍での吸引風の流れを効率よく整流することができ、電動送風機７の吸気口７ａ近傍での乱流の発生を十分に防止することができ、電動送風機室８と集塵室１０との間で発生する圧力損失を十分に低減することができ、電気掃除機１００の吸込み力を向上させることができる。
【００４６】
さらに、本実施の形態においては、第２の格子部２４が等間隔に配置されているため、吸引風を第２の格子部２４で効率よく整流することができ、第２の格子部２４の下流側での乱流の発生を十分に防止することができ、電動送風機室８と集塵室１０との間で発生する圧力損失を十分に低減することができ、電気掃除機１００の吸込み力を向上させることができる。
【００４７】
また、本実施の形態においては、第１の格子部２３の直径が、電動送風機７の吸気口７ａの直径と略同一の大きさで形成されているため、吸引風が集中する電動送風機７の吸気口７ａ近傍での吸引風の流れを効率よく整流することができ、電動送風機７の吸気口７ａ近傍での乱流の発生を十分に防止することができ、電動送風機室８と集塵室１０との間で発生する圧力損失を十分に低減することができ、電気掃除機１００の吸込み力を向上させることができる。
【００４８】
さらに、本実施の形態においては、分離壁１２に防音体２０ａが設けられているため、掃除機本体１内で発生する吸引風の風切音を防音体２０ａによって十分に吸収することができ、電気掃除機１００の静音性能を十分に向上させることができる。
【００４９】
また、本実施の形態においては、電源コード２１の引出しに連動して動作する除塵部２２が配置されているため、電源コード２１の引出しに連動して細塵フィルタ１９に付着した塵埃を除塵することができ、細塵フィルタ１９の目詰まりによって生じる電気掃除機１００の吸込み力の低下を十分に防止することができ、高い吸込み力を持続することができる。
【００５０】
以上、本発明の電気掃除機の実施の形態１について説明したが、本発明の電気掃除機は上述した実施の形態１の電気掃除機に限定されるものではない。
【００５１】
本発明の電気掃除機の実施の形態１では、第１の格子部の内側に、縦格子状の第２の格子部が等間隔に設けられている構成について説明したが、第２の格子部は横格子であってもよい。
【００５２】
また、本発明の電気掃除機の実施の形態１では、分離壁の開口部に、第１の格子部、第２の格子部、第３の格子部、第４の格子部、第５の格子部、第６の格子部、及び第７の格子部が設けられている構成について説明したが、分離壁の開口部の電動送風機の吸気口の内側に対応する位置に格子状の流路が設けられており、分離壁の開口部の電動送風機の吸気口の外側に対応する位置に放射状の流路が形成されていればよく、例えば、第１の格子部、第２の格子部、及び、第３の格子部のみが設けられている構成であってもよい。また、第１の格子部、第２の格子部、第３の格子部、第４の格子部、及び、第５の格子部のみが設けられている構成であってもよく、第１の格子部の内側に、電動送風機の中心軸と同心に設けられた略円状の第８の格子部が設けられており、この第８の格子部の内側に第２の格子部が設けられている構成であってもよい。
【００５３】
さらに、本発明の電気掃除機の実施の形態１では、電動送風機の吸気口の直径よりも内側に位置する第１の格子部及び第２の格子部の電動送風機の中心軸方向の幅が、電動送風機の吸気口の直径よりも外側に位置する第３の格子部、第４の格子部、第５の格子部、第６の格子部、及び第７の格子部の電動送風機の中心軸方向の幅よりも大きくなるように形成されている構成について説明したが、第１の格子部、第２の格子部、第３の格子部、第４の格子部、第５の格子部、第６の格子部、及び第７の格子部の電動送風機の中心軸方向の幅は同一であってもよい。
【産業上の利用可能性】
【００５４】
本発明の電気掃除機は、電動送風機室と集塵室とを連通する開口部での乱流の発生を十分に防止することができ、電動送風機室と集塵室との間で発生する圧力損失を十分に低減することができ、電気掃除機の吸込み力を向上させることが可能となるため、家庭用電気掃除機及び産業用電気掃除機の分野・用途に好適に適用することができる。
【符号の説明】
【００５５】
１  掃除機本体
１ａ  吸引口
２  吸込具
３  ホース
４  延長管
５  保持部
６  手元操作部
７  電動送風機
８  電動送風機室
９  集塵部
１０  集塵室
１１  開口部
１２  分離壁
１３  蓋体
１４  案内ガイド
１５  前部防振体
１６  後部防振体
１７  塵埃捕集部
１８  粗塵フィルタ
１９  細塵フィルタ
２０  枠体
２０ａ  防音体
２１  電源コード
２２  除塵部
２３  第１の格子部
２４  第２の格子部
２５  第３の格子部
２６  第４の格子部
２７  第５の格子部
２８  第６の格子部
２９  第７の格子部
３０  塵埃を含む吸引風
３１  旋回流
３２  粗塵捕集部
３３  細塵が除去された空気
３４  分離壁の開口部を通過する空気
３５  電動送風機へ吸い込まれる空気
１００  電気掃除機
【図１】
0005625581.tif 000002
【図２】
0005625581.tif 000003
【図３】
0005625581.tif 000004
【図４】
0005625581.tif 000005
【図５】
0005625581.tif 000006
【図６】
0005625581.tif 000007
【図７】
0005625581.tif 000008
【図８】
0005625581.tif 000009